(57)【要約】【課題】抑泡性及び洗浄力に優れる洗浄剤を提供する。【解決手段】（Ａ）成分：デシル硫酸塩と、（Ｂ）成分：縮合リン酸塩とを含有し、前記（Ａ）成分／前記（Ｂ）成分で表される質量比が３／９７〜３０／７０であることよりなり、さらに、（Ｃ）成分：２−エチルへキサン酸又はそのアルカリ金属塩、パラオキシ安息香酸メチル、プロピレングリコール、安息香酸又はそのアルカリ金属塩から選択される１種以上を含有し、前記（Ａ）成分／前記（Ｃ）成分で表される質量比が５〜５０であることが好ましい。また、洗浄剤を含有する洗浄液を用いて洗浄することよりなり、前記洗浄液は、オゾンを含有することが好ましい。【選択図】なし【特許請求の範囲】
【請求項１】
（Ａ）成分：デシル硫酸塩と、（Ｂ）成分：縮合リン酸塩とを含有し、
前記（Ａ）成分／前記（Ｂ）成分で表される質量比が３／９７〜３０／７０であることを特徴とする洗浄剤。
【請求項２】
さらに、（Ｃ）成分：２−エチルへキサン酸又はそのアルカリ金属塩、パラオキシ安息香酸メチル、プロピレングリコール、安息香酸又はそのアルカリ金属塩から選択される１種以上を含有し、
前記（Ａ）成分／前記（Ｃ）成分で表される質量比が５〜５０であることを特徴とする請求項１に記載の洗浄剤。
【請求項３】
請求項１又は２に記載の洗浄剤を含有する洗浄液を用いて洗浄することを特徴とする洗浄方法。
【請求項４】
前記洗浄液は、オゾンを含有することを特徴とする請求項３に記載の洗浄方法。
【発明の詳細な説明】
【技術分野】
【０００１】
本発明は、洗浄剤及び洗浄方法に関する。
【背景技術】
【０００２】
食品製造分野等で使用された装置、パイプ、部品等の各種機器の洗浄には、水酸化ナトリウム等を主剤とするアルカリ洗浄剤、アルカリ剤と次亜塩素酸塩とを混合した洗浄剤、リン酸等を使用する酸洗浄剤等が汚れの質ならびに被洗浄物に応じて使い分けされてきた。
各種機器の洗浄方法としては、例えば、分解洗浄法や定置洗浄法が設備の規模や設備条件等に応じて選択されている。定置洗浄法はＣＩＰ洗浄法（Ｃｌｅａｎ  Ｉｎ  Ｐｌａｃｅ）と呼ばれる方法であって、大規模な製造装置又はラインを分解することなく、原料や製品等が接触した配合釜や配管等の内部に洗浄剤を含む洗浄液を噴霧したり、流通させたりすることにより洗浄する方法である。
【０００３】
一般的に、タンパク質は各種機器に固着しやすく、洗浄液中に分散したタンパク質は泡立ちやすいという問題を有する。このため、タンパク質が含まれる食品等を製造するのに用いられた各種機器を洗浄する際には、タンパク質に対する洗浄力が高く、泡立ちにくい（抑泡性）洗浄剤が求められている。特に、ＣＩＰ洗浄法においては、洗浄液を流通させた際に、設備から泡が溢れ出さないことが重要である。
従来、前記各種機器の洗浄剤としては、洗浄液の廃棄処理を考慮して、アルカリと次亜塩素酸塩とを混合した洗浄剤が低濃度で使用されてきたが、十分な洗浄力の発揮、洗浄時の抑泡性、次亜塩素酸塩の使用による課題等、従来の洗浄剤が抱える全てを満足することはできなかった。
こうした問題に対し、例えば、特定の界面張力を備える組成物を用いて、食器等を超音波で洗浄する方法が提案されている（例えば、特許文献１）。
【先行技術文献】
【特許文献】
【０００４】
【特許文献１】特表２００２−５３０４８４号公報
【発明の概要】
【発明が解決しようとする課題】
【０００５】
しかしながら、特許文献１の発明を大規模な製造装置に適用するのは困難であり、被洗浄物が限られる。加えて、特許文献１の発明では、前記各種機器に対する洗浄力、特にタンパク質汚れに対する洗浄力が未だ十分とはいえなかった。
そこで、本発明は、抑泡性及び洗浄力に優れる洗浄剤を目的とする。
【課題を解決するための手段】
【０００６】
本発明の洗浄剤は、（Ａ）成分：デシル硫酸塩と、（Ｂ）成分：縮合リン酸塩とを含有し、前記（Ａ）成分／前記（Ｂ）成分で表される質量比が３／９７〜３０／７０であることを特徴とする。さらに、（Ｃ）成分：２−エチルへキサン酸又はそのアルカリ金属塩、パラオキシ安息香酸メチル、プロピレングリコール、安息香酸又はそのアルカリ金属塩から選択される１種以上を含有し、前記（Ａ）成分／前記（Ｃ）成分で表される質量比が５〜５０であることが好ましい。
【０００７】
本発明の洗浄方法は、前記の本発明の洗浄剤を含有する洗浄液を用いて洗浄することを特徴とする。前記洗浄液は、オゾンを含有することが好ましい。
【発明の効果】
【０００８】
本発明の洗浄剤によれば、抑泡性及び洗浄力に優れる。
【図面の簡単な説明】
【０００９】
【図１】洗浄力の評価方法に用いた洗浄装置の模式図である。
【図２】抑泡性の評価方法に用いた洗浄装置の模式図である。
【図３】殺菌力の評価方法に用いた洗浄装置の模式図である。
【発明を実施するための形態】
【００１０】
（洗浄剤）
本発明の洗浄剤は、（Ａ）成分：デシル硫酸塩と、（Ｂ）成分：縮合リン酸塩とを含有するものである。
【００１１】
洗浄剤は、液体であってもよいし、粒状、タブレット、ブリケット、シート又はバー等の固体であってもよい。
液体の洗浄剤（以下、液体洗浄剤ということがある）の場合、（Ａ）成分と（Ｂ）成分とが共に分散媒中に混在した一液型であってもよいし、（Ａ）成分を含有する第一の液体と、（Ｂ）成分を含有する第二の液体とからなる二液型であってもよい。
一液型の液体洗浄剤としては、使用時に水で希釈して用いられる濃縮型や、水で希釈せずに用いられるストレート型が挙げられる。
【００１２】
濃縮型の液体洗浄剤のｐＨは、特に限定されないが、例えば、６〜８が好ましく、６．５〜７．５がより好ましい。上記範囲内であれば、液安定性を高められる。ｐＨは、ｐＨメーターを用いて２５℃で測定される値である。
【００１３】
ストレート型の液体洗浄剤のｐＨは、特に限定されないが、例えば、６〜８．５が好ましく、６．５〜８がより好ましい。上記範囲内であれば、タンパク質汚れに対する洗浄力のさらなる向上を図れる。
ストレート型の液体洗浄剤の粘度は、特に限定されないが、例えば、１０ｍＰａ・ｓ以下が好ましい。上記上限値以下であれば、抑泡性のさらなる向上を図れる。
【００１４】
また、固体の洗浄剤（以下、固体洗浄剤ということがある）の場合、（Ａ）成分と（Ｂ）成分とが混合されていてもよいし、（Ａ）成分と（Ｂ）成分とが各々別個の粒状物として用意されたものであってもよい。
【００１５】
＜（Ａ）成分：デシル硫酸塩＞
（Ａ）成分は、デシル硫酸塩であり、デシルアルコールを硫酸化して得られるアニオン界面活性剤である。（Ａ）成分は、タンパク質汚れを洗浄液中に分散する洗浄成分として作用すると共に、洗浄液中に分散したタンパク質に由来する起泡を良好に抑制する。
【００１６】
（Ａ）成分のデシル基は、直鎖でも分岐鎖でもよい。
硫酸塩の対イオンとしては、例えば、ナトリウム、カリウム等のアルカリ金属、モノエタノールアミン、ジエタノールアミン、トリエタノールアミン等のアルカノールアミン、アンモニウム等が挙げられ、中でも、アルカリ金属が好ましく、ナトリウム、カリウムがより好ましい。このような対イオンであれば、良好な抑泡性を維持しつつ、タンパク質汚れに対する洗浄力をより高められる。
【００１７】
（Ａ）成分としては、例えば、関東化学株式会社製のデシル硫酸ナトリウム（試薬）や、Ｓｔｅｐａｎ社製のＰＯＬＹＳＴＥＰ  Ｂ−２５（商品名）等が挙げられる。
（Ａ）成分は、１種単独で用いられてもよいし、２種以上が組み合わされて用いられてもよい。
【００１８】
＜（Ｂ）成分：縮合リン酸（塩）＞
（Ｂ）成分は、縮合リン酸又は縮合リン酸塩（総じて、縮合リン酸（塩））である。洗浄剤は、（Ａ）成分と（Ｂ）成分とを含有することで、汚れ、特にタンパク質汚れに対する優れた洗浄力を発揮する。
【００１９】
（Ｂ）成分としては、例えば、ピロリン酸、トリポリリン酸、テトラポリリン酸、ペンタポリリン酸、トリメタリン酸、テトラメタリン酸、ヘキサメタリン酸及びこれらの塩等が挙げられる。縮合リン酸塩の対イオンとしては、例えば、ナトリウム、カリウム等のアルカリ金属等が挙げられる。このような対イオンであれば、タンパク質汚れに対する洗浄力をより高められる。
（Ｂ）成分としては、メタリン酸塩、ポリリン酸塩が好ましく、ヘキサメタリン酸塩がより好ましい。
（Ｂ）成分としては、例えば、太平化学産業株式会社製、燐化学工業株式会社製のトリポリリン酸ナトリウム、太平化学産業株式会社製のヘキサメタリン酸ナトリウム等が挙げられる。
これらの（Ｂ）成分は、１種単独で用いられてもよいし、２種以上が組み合わされて用いられてもよい。
【００２０】
洗浄剤中の（Ａ）成分／（Ｂ）成分で表される質量比（以下、Ａ／Ｂ比ということがある）は、３／９７〜３０／７０であり、５／９５〜２０／８０が好ましい。Ａ／Ｂ比が上記下限値未満では、（Ａ）成分が少なくなりすぎて、洗浄液中にタンパク質汚れを良好に分散できず、洗浄液に分散したタンパク質に起因する泡立ちを良好に抑制できない。上記上限値超では、（Ａ）成分の含有量が多くなりすぎて、（Ａ）成分自体の起泡によって優れた抑泡性を発揮できない。
【００２１】
洗浄剤中の（Ａ）成分及び（Ｂ）成分の合計量（以下、ＡＢ合計量ということがある）は、洗浄剤の剤形等を勘案して適宜決定される。
濃縮型の液体洗浄剤中のＡＢ合計量は、例えば、２〜２０質量％が好ましく、４〜１７質量％がより好ましい。上記下限値以上であれば、輸送効率を高められ、保管スペースを過度に広くする必要がない。上記上限値以下であれば、液安定性をより高められる。
【００２２】
ストレート型の液体洗浄剤のＡＢ合計量は、例えば、１０〜１０００ｍｇ／Ｌが好ましく、５０〜５００ｍｇ／Ｌがより好ましい。上記下限値未満では、洗浄力が低下するおそれがあり、上記上限値超では、抑泡性が低下するおそれがある。
【００２３】
固形洗浄剤中のＡＢ合計量は、水への溶解性等を勘案して適宜決定される。
【００２４】
＜（Ｃ）成分：２−エチルへキサン酸又はそのアルカリ金属塩、パラオキシ安息香酸メチル、プロピレングリコール、安息香酸又はそのアルカリ金属塩から選択される１種以上＞
洗浄剤は、（Ｃ）成分：２−エチルへキサン酸又はそのアルカリ金属塩、パラオキシ安息香酸メチル、プロピレングリコール、安息香酸又はそのアルカリ金属塩から選択される１種以上を含有してもよい。
洗浄剤が液体洗浄剤である場合、（Ｃ）成分を含有することで、低温（例えば、５℃以下）で保存した場合の液安定性（以下、低温保存安定性ということがある）を高められる。また、（Ｃ）成分を含有することで、洗浄剤を含有する洗浄液の低温保存安定性を高められる。
【００２５】
２−エチルへキサン酸又はそのアルカリ金属塩としては、２−エチルへキサン酸、２−エチルへキサン酸ナトリウム、２−エチルへキサン酸カリウム等が挙げられる。このような塩であれば、低温保存安定性をより高められる。
安息香酸又はそのアルカリ金属塩としては、安息香酸、安息香酸ナトリウム、安息香酸カリム等が挙げられる。
【００２６】
液体洗浄剤中の（Ｃ）成分の含有量は、（Ａ）成分／（Ｃ）成分で表される質量比（以下、Ａ／Ｃ比ということがある）で、例えば、５〜５０となる量が好ましく、１０〜３０となる量がより好ましい。Ａ／Ｃ比が上記下限値未満では、液体洗浄剤が凍結しやすい場合があり、上記上限値超では（Ａ）成分との配合バランスが崩れて、分離するおそれがある。
【００２７】
＜その他の成分＞
洗浄剤は、剤形等を勘案し、必要に応じて（Ａ）〜（Ｃ）成分以外に、（Ａ）成分以外の界面活性剤、分散媒、殺菌剤、洗浄性ビルダー、ｐＨ調整剤等を含有してもよい。
【００２８】
（Ａ）成分以外の界面活性剤（任意界面活性剤）としては、特に限定されないが、ポリオキシエチレン硬化ひまし油（エチレンオキシドの平均付加モル数が２０〜１００）等、起泡しにくいものが好ましい。
洗浄剤中の任意界面活性剤の含有量は、任意界面活性剤の種類等に応じて適宜決定される。例えば、任意界面活性剤としてポリオキシエチレン硬化ひまし油（エチレンオキシドの平均付加モル数が２０〜１００）を用いる場合、洗浄液中の任意界面活性剤の含有量は１００ｍｇ／Ｌ以下が好ましい。
【００２９】
分散媒としては、水、エタノール、又はこれらの混合液等が挙げられる。
殺菌剤としては、次亜塩素酸ナトリウム等の次亜塩素酸塩等が挙げられる。ただし、被洗浄物の腐食防止や作業環境への配慮等の観点から、洗浄剤は、次亜塩素酸塩を含有しないことが好ましい。
【００３０】
（洗浄剤の製造方法）
洗浄剤は、剤形等に応じ、従来公知の製造方法により製造される。
液体洗浄剤の製造方法としては、例えば、（Ａ）〜（Ｂ）成分及び必要に応じてその他の成分を分散媒の一部に分散し、任意のｐＨに調整した後、分散媒の残部を加える方法が挙げられる。
固体洗浄剤としては、例えば、（Ａ）〜（Ｂ）成分及び必要に応じてその他の成分を混合し、これを粉砕する方法等が挙げられる。
【００３１】
（使用方法）
洗浄剤の使用方法、即ち、洗浄方法は、洗浄剤を含有する洗浄液を被洗浄物に接触するものであればよい。
例えば、被洗浄物（装置、機器、パイプ等）を分解し、それぞれを洗浄液に任意の時間浸漬したり（浸漬洗浄法）、分解した各種機器に洗浄液を噴霧した（噴射洗浄法）後、水で濯ぐ方法等の分解洗浄法が挙げられる。
あるいは、洗浄液をＣＩＰ洗浄法に用いてもよい。
【００３２】
被洗浄物は、特に限定されない。洗浄剤は、食品製造分野で用いられる装置、パイプもしくは部品、食器、又は食品製造分野以外でタンパク質を含む原料を加工する装置等、あらゆるものに適用できる。
被洗浄物の材質は、特に限定されず、例えば、ステンレスやアルミニウム等の金属、陶磁器、ガラス、コンクリート、プラスチック等が挙げられる。
【００３３】
洗浄液としては、例えば、水等の分散媒に洗浄剤を分散したものが挙げられる。
洗浄液中の洗浄剤の含有量は、洗浄剤の剤形等に応じて適宜決定され、例えば、洗浄液中のＡＢ合計量が１０〜１０００ｍｇ／Ｌとなる量が好ましく、ＡＢ合計量が５０〜５００ｍｇ／Ｌとなる量がより好ましい。上記下限値未満では、洗浄力が低下するおそれがあり、上記上限値超では、抑泡性が低下するおそれがある。
洗浄液の粘度は、特に限定されないが、例えば、１０ｍＰａ・ｓ以下が好ましい。上記上限値以下であれば、抑泡性のさらなる向上を図れる。
洗浄液のｐＨは、例えば、６〜８．５が好ましく、６．５〜８がより好ましい。上記範囲内であれば、洗浄力のさらなる向上を図れる。
【００３４】
洗浄液は、オゾンを含有することが好ましい。オゾンを含有することで、被洗浄物を洗浄しつつ殺菌できる。
洗浄液中のオゾンは、洗浄液中に気泡として存在してもよいし、洗浄液中に溶存していてもよい。
【００３５】
洗浄液中にオゾンを気泡として存在させる場合には、オゾンを気泡径２００μｍ以下のマイクロバブルとすることが好ましい。
マイクロバブルの発生方法としては、例えば、加圧溶解型マイクロバブル発生装置、二相流旋回型マイクロバブル発生装置を用いて、オゾンを含有するガス（オゾン含有ガス）を洗浄液に混合する方法、多孔質材料を介して、洗浄液中にオゾン含有ガスを送り込む方法、エジェクターやベンチュリー管で、洗浄液とオゾン含有ガスとを混合する方法等が挙げられる。
【００３６】
加圧溶解型マイクロバブル発生装置は、大気圧よりも高い圧力で十分な量のオゾン含有ガスを洗浄液に溶解させた後、減圧することで、溶解したオゾン含有ガスの過飽和条件を作り出す。これにより過剰に溶解したオゾン含有ガスは不安定な状態となり、過飽和分のオゾン含有ガスは洗浄液から飛び出そうとする。この結果、洗浄液中に大量のオゾン含有ガスのマイクロバブルが発生する。
【００３７】
二相流旋回型マイクロバブル発生装置は、一般的に利用されているマイクロバブルの発生装置である。この装置は、水流で渦を発生させ、渦内にオゾン含有ガスを大きな気泡で巻き込み、この渦を崩壊させた時に気泡が細分化する現象を利用して、マイクロバブルを発生する。渦の発生方法に多くの手法があり、多種類のマイクロバブル発生装置として市販されている。
【００３８】
多孔質材料を介して、洗浄液にオゾン含有ガスを吹き込む方法は、（Ａ）成分の界面活性能により、洗浄液の表面張力を下げ、吹き込まれたオゾン含有ガスの気液接触面積を拡大させて、オゾン含有ガスの気泡を発生させるものである。多孔質材料を介してオゾン含有ガスを洗浄液に吹き込むと、発生する気泡の浮力と釣り合う表面張力が低下し、（Ａ）成分が含まれていない場合よりも小さい気泡で気泡が浮上し、マイクロバブルを発生できる。
【００３９】
エジェクターやベンチュリー管を用いる方法においては、オゾン含有ガスが、気液混合部で水流によるせん断を受け、（Ａ）成分により表面張力が低下した水溶液中でより多くの気液界面を形成して、マイクロバブルを発生する。
なお、本発明においてマイクロバブルの発生方法は上記のいずれの方法を用いても十分な効果をもたらす。
【００４０】
なお、オゾンが気泡として含有される洗浄液を用いる場合、例えば、オゾンを含有する洗浄液を調製し、これを用いて被洗浄物を洗浄してもよいし、オゾンを含有しない洗浄液に被洗浄物を浸漬しつつ、洗浄液にオゾン含有ガスを曝気してもよい。
【００４１】
洗浄液にオゾンを溶存させる方法としては、洗浄液中でオゾンを生成する方法と、オゾン含有ガスを洗浄液に溶解させる方法とに大別される。
洗浄液中でオゾンを生成する方法としては、電気分解法が最も一般的である。
オゾン含有ガスを水に溶解させる方法としては、紫外線照射、放電又は放射線照射によりオゾンを発生させ、このオゾンを含有するオゾン含有ガスで洗浄液を曝気する方法、ディフューザーを用いてオゾン含有ガスを洗浄液に曝気する方法、又はポリテトラフルオロエチレン製の膜等を通じて、オゾン含有ガスを洗浄液に溶解させる方法等が挙げられる。
【００４２】
オゾン含有ガス中のオゾンの濃度は特に限定されないが、作業環境への配慮等から、１００００体積ｐｐｍ以下が好ましく、７５００体積ｐｐｍ以下がより好ましい。下限値は、特に限定されないが、洗浄液中にオゾンを効率的に含有させる観点から、１０体積ｐｐｍ以上が好ましく、１００体積ｐｐｍ以上がより好ましい。
本発明は、オゾンの濃度が１００〜７５００体積ｐｐｍのオゾン含有ガスを用いた曝気処理において、室温で効果的な殺菌効果が得られ、有用である。
【００４３】
なお、洗浄液にオゾンを含有させる方法としては、洗浄剤を分散媒に分散した洗浄液に、オゾン含有ガスを曝気する方法に限られず、予め分散媒にオゾンを含有させた後、これに洗浄剤を分散させてもよい。
【００４４】
上述の通り、本発明の洗浄剤は、（Ａ）成分と（Ｂ）成分とを含有するため、抑泡性及び洗浄力に優れる。本発明の洗浄剤は、特に、タンパク質汚れに対する洗浄力に優れ、かつタンパク質に由来する起泡を抑制できるため、タンパク質が含まれる原料や製品が接触する部材、例えば、食品製造機器や食器等の洗浄に好適である。加えて、本発明の洗浄剤は、優れた抑泡性を有するため、ＣＩＰ洗浄用の洗浄剤として好適である。
【実施例】
【００４５】
以下、実施例を示して本発明を詳細に説明するが、本発明は以下の記載によって限定されるものではない。
【００４６】
（使用原料）
＜（Ａ）成分＞
Ａ−１：デシル硫酸ナトリウム（Ｎａ（Ｃ１０ＡＳ）、ｎ−デシル硫酸ナトリウム、試薬、関東化学株式会社製）。
＜（Ａ’）成分：（Ａ）成分の比較品＞
Ａ’−１：ドデシル硫酸ナトリウム（Ｃ１２ＡＳ、試薬、和光純薬工業株式会社製）。
Ａ’−２：オクチル硫酸ナトリウム（関東化学株式会社製）。
【００４７】
＜（Ｂ）成分＞
Ｂ−１：ヘキサメタリン酸ナトリウム（太平化学産業株式会社製）。
Ｂ−２：トリポリリン酸ナトリウム（太平化学産業株式会社製）。
＜（Ｂ’）成分：（Ｂ）成分の比較品＞
Ｂ’−１：リン酸ナトリウム（試薬、和光純薬工業株式会社製）。
Ｂ’−２：クエン酸三ナトリウム（試薬、和光純薬工業株式会社製）。
【００４８】
＜（Ｃ）成分＞
Ｃ−１：２−エチルヘキサン酸（試薬、和光純薬工業株式会社製）。
Ｃ−２：パラオキシ安息香酸メチル（試薬、関東化学株式会社製）。
Ｃ−３：プロピレングリコール（試薬、関東化学株式会社製）。
Ｃ−４：安息香酸ナトリウム（試薬、関東化学株式会社製）。
＜（Ｃ’）成分：（Ｃ）成分の比較品＞
Ｃ’−１：パラオキシ安息香酸エチル（試薬、関東化学株式会社製）。
Ｃ’−２：ポリエチレングリコール（試薬、分子量４００、関東化学株式会社製）。
【００４９】
＜任意成分＞
ｐＨ調整剤：水酸化ナトリウム（関東化学株式会社製）。
ｐＨ調整剤：硫酸（関東化学株式会社製）。
水：イオン交換水。
【００５０】
（実施例１−１〜１−１８、比較例１−１〜１−９）
表１〜３の組成に従い、ｐＨ調整剤を除く各原料と水の一部とを混合し、これにｐＨ調整剤を加えてｐＨ７．２とした。次いで、水の残部を加えて、各例の洗浄剤を得た。得られた洗浄剤について、洗浄力、抑泡性及び低温保存安定性を評価し、その結果を表中に示す。
なお、表中の組成は純分換算量であり、水における「バランス」は洗浄剤を１００質量％にするのに必要な量である。
【００５１】
（評価方法）
＜洗浄力＞
≪汚垢板の製造≫
２００ｍＬのガラス製ビーカーに鶏卵１個（５０ｇ）を割り入れ、これを攪拌子で５分間攪拌した後、ポリアミド製のメッシュ（６０メッシュ）で濾過した。濾液を５０ｍＬバイヤル瓶に入れ、ここにテストピース（ＳＵＳ３０４、幅２５ｍｍ、長さ７５ｍｍ、厚み１ｍｍ、４００番バフ研磨）を浸漬し、引き上げた。この際、テストピースの長さ方向を鉛直方向とし、長さ方向の中間まで濾液に浸かるようにした。これを３回繰り返した後、長さ方向を鉛直方向としてテストピースを吊り下げ、室温２３℃、湿度４０％の恒温室で１８時間乾燥して汚垢板とした。得られた汚垢板には、濾液に浸漬され、汚垢が付着した部分（汚染部）と、濾液に浸漬されず、汚垢が付着していない部分（清浄部）とが形成された。
【００５２】
≪洗浄試験≫
図１の洗浄装置１を用いて前記汚垢板を洗浄し、洗浄力を評価した。
洗浄装置１は、貯留槽１０と、洗浄槽２０と、攪拌機２２と、ポンプ４０とを備える。貯留槽１０の上方には、洗浄槽２０が設けられ、攪拌機２２は、洗浄槽２０内を攪拌できるように設けられている。貯留槽１０は、配管４２でポンプ４０と接続され、洗浄槽２０は、配管４４でポンプ４０と接続されている。
貯留槽１０には、５０００ｍＬ容量の有底円筒状のポリプロピレン製容器を用い、洗浄槽２０には、５００ｍＬ容量の有底円筒状のポリプロピレン製容器を用いた。
攪拌機２２は、駆動部２６と攪拌羽根２４（羽根長３０ｍｍ、４枚傾斜羽）とを備えるものであり、駆動部２６にはスリーワンモータを用いた。ポンプ４０には、シールレスポンプ（エレポン加工機株式会社製）を用い、配管４２及び配管４４には、シリコンチューブ（外径６ｍｍ）を用いた。
【００５３】
各例の洗浄剤を２０℃の水道水で５００倍（体積基準）に希釈し、水酸化ナトリウムを適量加えて、ｐＨ７．４の洗浄液３０００ｍＬを調製した。
調製した洗浄液を貯留槽１０に入れ、ポンプ４０を起動し、貯留槽１０内の洗浄液３０を配管４２、ポンプ４０、配管４４の順に経由させて、洗浄槽２０に流入させた。洗浄槽２０内に洗浄液３０が満たされると、洗浄槽２０内の洗浄液３０は、洗浄槽２０の開口部から溢れ出て貯留槽１０に流入した。こうして、貯留槽１０内の洗浄液３０を配管４２、ポンプ４０、配管４４、洗浄槽２０、貯留槽１０の順に循環させた。
攪拌機２２を起動して、洗浄槽２０内の洗浄液３０を攪拌（攪拌羽根２４の回転数１５０ｒｐｍ）しつつ、洗浄槽２０に２枚の汚垢板を入れた。この際、汚染部５４が鉛直方向下方、清浄部５２が鉛直方向上方になるようにし、かつ清浄部５２と汚染部５４との境界５６が、洗浄槽２０内の洗浄液３０の液面よりも下方になるように、汚垢板５０を洗浄槽２０に入れた。
洗浄液３０を２０分間循環（洗浄処理）した後、２枚の汚垢板５０を取り出し、２０℃、１５００ｍＬの水道水が入ったポリプロピレン製ビーカーの中に垂直に浸漬して引き上げた（濯ぎ処理）。この濯ぎ処理を５回繰り返した後、汚垢板５０を横２５０ｍｍ、縦４００ｍｍ、高さ５０ｍｍのステンレス製バットに立てかけて自然乾燥した。下記評価基準に従って、汚垢板５０を目視で評価した。４点以上を「洗浄力が優れる」と評価した。
【００５４】
≪評価基準≫
５点：汚れの残存なし。
４点：汚染部と清浄部との境界線がわずかに残存し、その他の部位には汚れの残存なし。
３点：汚染部と清浄部との境界線がはっきりと残存しているが、その他の部位には汚れの残存なし。
２点：汚染部と清浄部との境界線がはっきりと残存し、その他の部位にも汚れがわずかに残存。
１点：汚れがほとんど落ちていない
【００５５】
＜抑泡性＞
図２の洗浄装置１００を用いて抑泡性を評価した。
洗浄装置１００は、貯留槽１１０と、ポンプ１２０と、ポンプ１３０と、ホッパー１４０とを備える。
ホッパー１４０の内部にはノズル１４４が設けられ、ノズル１４４は、配管１４８で圧力計１４６と接続されている。ホッパー１４０の底部には配管１４２が設けられ、配管１４２はポンプ１３０と接続されている。ポンプ１３０には、インバータ１３２が電気的に接続され、ポンプ１３０は、配管１３６で、貯留槽１１０と接続されている。貯留槽１１０は、流量計１１４を備えた配管１１２でポンプ１２０と接続され、ポンプ１２０は、配管１２２で配管１４８と接続されている。
貯留槽１１０には、６０００ｍＬ容量のポリプロピレン製容器（直径１９０ｍｍ、高さ２３０ｍｍ）を用い、流量計１１４には、ＬＷ２０−ＰＴＮ（株式会社堀場エステック製）を用いた。ポンプ１２０には、渦流ポンプ（株式会社ニクニ製）を用い、ポンプ１３０には、渦巻き式ポンプ（レイシー  ＲＭＤ−７０１、株式会社イワキ製）を用いた。インバータ１３２には、ＦＲ−ＦＳ−０．８Ｋ（三菱電機株式会社製）を用い、ホッパー１４０には、ＨＴＦ−ＳＴ−２１（ステンレス製、三広アステック株式会社製）を用いた。ノズル１４４には、ＥＳ０１（株式会社いけうち製）を用い、圧力計１４６には、ブルドン管圧力計（株式会社ＭｏｎｏｔａＲＯ製）を用いた。配管１１２、１２２、１３６、１４２、１４８には、１５ＡのＳＵＳ３０４配管を用いた。
【００５６】
ビーカーに鶏卵を割り入れ、これを攪拌子で５分攪拌した後、ポリアミド製のメッシュ（６０メッシュ）で濾過した。洗浄剤を水道水で５００倍（体積基準）に希釈した洗浄液に、鶏卵の濾液を分散して、鶏卵の含有量が０．１質量％の洗浄液を得た。
この洗浄液５０００ｍＬ（２０℃）を貯留槽１１０に入れた。ポンプ１２０及び１３０を起動し、貯留槽１１０内の洗浄液１０２を配管１１２、ポンプ１２０、配管１２２、配管１４８の順に経由させ、ノズル１４４でホッパー１４０内に噴射（０．０５ＭＰａ）した。この際、ポンプ１２０を流量２．３Ｌ／ｍｉｎ．で運転し、ポンプ１３０を２７Ｈｚで運転した。
ホッパー１４０内の洗浄液をポンプ１３０で吸引し、配管１３６を経由させて貯留槽１１０に流入させた。
以上の操作を５分間行い、貯留槽１１０に生じた泡の高さを測定した。測定した泡の高さを下記評価基準に分類し、抑泡性を評価した。泡の高さが５ｃｍ以下であるものを抑泡性が良好と判断した。
【００５７】
≪評価基準≫
◎：泡の高さが３ｃｍ以下である。
○：泡の高さが３ｃｍを超え、５ｃｍ以下である。
△：泡の高さが５ｃｍを超え、１０ｃｍ以下である。
×：泡の高さが１０ｃｍを超える。
【００５８】
＜低温保存安定性＞
各例の洗浄剤４０ｇを５０ｍＬ容量の硬質ガラス製バイヤル瓶に入れ、ポリエチレン製のキャップで蓋をして保存用サンプルとした。保存用サンプルを０℃の恒温槽で保存した。保存開始１０日後、２０日後、３０日後における洗浄剤の外観を目視で観察し、下記評価基準に従って評価した。「○」又は「◎」であるものを低温保存安定性が良好と判断した。
【００５９】
≪評価基準≫
◎：３０日後に凍結も分離も認められない。
○：２０日後に凍結も分離も認められないが、３０日後に凍結又は分離が認められた。
△：１０日後に凍結も分離も認められないが、２０日後に凍結又は分離が認められた。
×：１０日以内に凍結又は分離が認められた。
【００６０】
【表１】
2014065812.tif 000002
【００６１】
【表２】
2014065812.tif 000003
【００６２】
【表３】
2014065812.tif 000004
【００６３】
（実施例２−１）
デシル硫酸ナトリウム（（Ａ）成分）１質量部と、メタリン酸ナトリウム（（Ｂ）成分）９質量部と、パラオキシ安息香酸メチル（（Ｃ）成分）０．１質量部と、水酸化ナトリウム０．５質量部と、イオン交換水８９．４質量部とをビーカーに入れ混合して、本例の洗浄剤を得た。この洗浄剤のｐＨは７．２であった。得られた洗浄剤について、下記「＜殺菌力の評価方法＞」に従い、殺菌力を評価した。
【００６４】
＜殺菌力の評価方法＞
図３に示す洗浄装置２００を用いて、殺菌力を評価した
洗浄装置２００は、貯留槽２１０と、ポンプ２２０と、マスフローコントローラー２３０と、オゾンガスモニター２４０と、オゾン発生器２５０と、空気ボンベ２６０とを備える。
貯留槽２１０は、配管２２２及び配管２２４でポンプ２２０と接続されている。配管２２４にはエジェクター２２６が設けられ、エジェクター２２６には配管２３２が接続されている。配管２３２はマスフローコントローラー２３０と接続され、マスフローコントローラー２３０は配管２４２でオゾンガスモニター２４０と接続されている。オゾンガスモニター２４０は、配管２５２でオゾン発生器２５０と接続され、オゾン発生器２５０は配管２６２で空気ボンベ２６０と接続されている。
貯留槽２１０には、５０００ｍＬ容量のポリプロピレン製容器（直径１８０ｍｍ、高さ２２０ｍｍ）を用い、ポンプ２２０には、シールレスポンプ（エレポン加工機株式会社製）を用いた。エジェクター２２６には、テトラフルオロエチレン製のものを用い、マスフローコントローラー２３０には、Ｍｏｄｅｌ８５００（コフロック株式会社製）を用いた。オゾンガスモニター２４０には、ＥＧ−６００（荏原実業株式会社製）を用い、オゾン発生器２５０には、ＯＺＳＤ−３０００Ａ（荏原実業株式会社製）を用いた。配管２２２、２２４、２３２、２４２、２５２、２６２には、テトラフルオロエチレン製チューブ（内径４ｍｍ、外径６ｍｍ）を用いた。
【００６５】
滅菌した水道水で洗浄剤を５００倍（体積基準）に希釈して、３０００ｍＬの洗浄液（ｐＨ６．８）を得た。標準寒天培地で２４時間、３７℃の条件で２回植え継ぎ培養した大腸菌（Ｅ．ｃｏｌｉ、ＮＢＲ３９７２、グラム陰性菌）を洗浄液に加え、試験液（大腸菌：１．０×１０６ｃｆｕ／ｍＬ）とした。この試験液を貯留槽２１０に入れた。
ポンプ２２０を起動し、貯留槽２１０内の試験液２０２を配管２２２、ポンプ２２０、配管２２４、貯留槽２１０の順に、２Ｌ／ｍｉｎ．の流速で循環させた。
空気ボンベ２６０から配管２６２を経由してオゾン発生器２５０に空気を供給し、オゾン発生器２５０でオゾンを生成した。生成したオゾンを含有するオゾン含有ガスを配管２５２、オゾンガスモニター２４０、配管２４２、マスフローコントローラー２３０、配管２３２、エジェクター２２６の順に経由させ、エジェクター２２６でオゾン含有ガスと試験液２０２とを混合した。この際、エジェクター２２６へのオゾン含有ガスの流量は、０．２Ｌ／ｍｉｎ．であり、オゾン含有ガスのオゾン含有量は１２００体積ｐｐｍであった。
試験液２０２を循環させ、オゾン含有ガスで貯留槽１０内を２０分間曝気した（曝気処理）。
【００６６】
曝気処理を終えた直後、試験液４．５ｍＬを採取し、これに０．１Ｎチオ硫酸ナトリウム水溶液０．５ｍＬを加えて測定用試料とした。この測定用試料１ｍＬに滅菌した生理食塩水９ｍＬを加えて１０倍に希釈した（希釈処理）。さらに前記希釈処理と同様にして１０倍ずつ段階希釈を行った。各希釈液１ｍＬをシャーレに入れ、５０℃のＳＣＤ寒天培地（日水製薬株式会社製）１０ｍＬと混合し、室温まで冷却してＳＣＤ寒天培地を固化した。固化したＳＣＤ寒天培地をインキュベータにて、３７℃、２４時間培養した後、１シャーレ当り３０〜３００ｃｆｕのものについて、培地上のコロニー数を計測して残存生菌数を調べた。計測したシャーレに採取した試験液の段階希釈時の希釈率を乗じ、さらに１０／９を乗じた値を試験液１ｍＬあたりの残存生菌数として算出した。その結果、曝気処理後の試験液中の残存生菌数は３０ｃｆｕ／ｍＬ未満であった。
【００６７】
（比較例２−１）
洗浄剤を用いずに試験液を調製した以外は、実施例２−１と同様にして残存生菌数を求めた。この結果、曝気処理後の試験液中の残存生菌数は、１０４ｃｆｕ／ｍＬオーダーであった。
【００６８】
実施例２−１、比較例２−１の結果から、本発明を適用することで、殺菌力をより高められることが判った。加えて、実施例２−１は、オゾン含有ガスで曝気しても、優れた抑泡性を発揮できた。
【図１】
2014065812.tif 000005
【図２】
2014065812.tif 000006
【図３】
2014065812.tif 000007